(57)【特許請求の範囲】
【請求項１】
外部の複数の画像記憶手段の一つを画像を受信する受信画像記憶手段とし、この受信画像記憶手段へ送信すべき画像について、その画像の種類を設定する設定手段と、
前記設定手段によって設定された画像の種類を示す情報を、前記受信画像記憶手段以外の前記外部の複数の画像記憶手段の少なくとも一つに送信する送信手段と、
前記送信手段による前記情報が送信され、前記外部の複数の画像記憶手段の少なくとも一つから前記受信画像記憶手段へ画像が送信された後の前記受信画像記憶手段の記憶内容に関する情報を受信する受信手段と、
を備えることを特徴とする情報送信装置。
【請求項２】
前記画像の種類とは、画像に含まれる被写体の種類によって決定される、
ことを特徴とする請求項１に記載の情報送信装置。
【請求項３】
前記外部の複数の画像記憶手段は、撮像装置を含み、
前記画像の種類とは、撮影モードの種類によって決定される、
ことを特徴とする請求項１に記載の情報送信装置。
【請求項４】
前記画像の種類とは、画像に記憶された取得日時によって決定される、
ことを特徴とする請求項１に記載の情報送信装置。
【請求項５】
前記画像の種類とは、画像に記憶された取得位置情報によって決定される、
ことを特徴とする請求項１に記載の情報送信装置。
【請求項６】
前記送信手段は、前記送信すべき画像の種類を、前記外部の複数の画像記憶手段毎に変えて送信する、
ことを特徴とする請求項１乃至５のいずれか一項に記載の情報送信装置。
【請求項７】
前記外部の複数の画像記憶手段毎にそれぞれの処理能力を記憶する処理能力記憶手段と、
前記処理能力記憶手段に記憶されている前記外部の複数の画像記憶手段毎の処理能力に基づいて、前記外部の複数の画像記憶手段から受信画像記憶手段を決定する決定手段と、
を更に備えることを特徴とする請求項１乃至６のいずれか一項に記載の情報送信装置。
【請求項８】
画像を記憶する画像記憶手段と、
外部に存在する画像記憶装置へ送信すべき画像について、その画像の種類を示す情報を外部の特定の送信装置から受信する受信手段と、
この受信手段によって受信された前記画像の種類を示す情報に基づいて、前記画像記憶手段に記憶されている画像から送信すべき画像を特定して、前記外部に存在する画像記憶装置へ送信する送信手段と、
を備えることを特徴とする画像記憶装置。
【請求項９】
撮像手段を更に備え、
前記画像の種類とは、前記撮像手段を利用した撮像における撮影モードまたは撮影条件である、
ことを特徴とする請求項８に記載の画像記憶装置。
【請求項１０】
外部の複数の画像記憶手段の一つを画像を受信する受信画像記憶手段とし、この受信画像記憶手段へ送信すべき画像について、その画像の種類を設定する設定ステップと、
前記設定ステップにて設定された画像の種類を示す情報を、前記受信画像記憶手段以外の前記外部の複数の画像記憶手段の少なくとも一つに送信する送信ステップと、
前記送信ステップで前記情報が送信され、前記外部の複数の画像記憶手段の少なくとも一つから前記受信画像記憶手段へ画像が送信された後の前記受信画像記憶手段の記憶内容に関する情報を受信する受信ステップと、
を含むことを特徴とする情報送信方法。
【請求項１１】
情報送信装置のコンピュータを、
当該情報送信装置外部の複数の画像記憶手段の一つを画像を受信する受信画像記憶手段とし、この受信画像記憶手段へ送信すべき画像について、その画像の種類を設定する設定手段、
前記設定手段によって設定された画像の種類を示す情報を、前記受信画像記憶手段以外の前記外部の複数の画像記憶手段の少なくとも一つに送信する送信手段、
前記送信手段による前記情報が送信され、前記外部の複数の画像記憶手段の少なくとも一つから前記受信画像記憶手段へ画像が送信された後の前記受信画像記憶手段の記憶内容に関する情報を受信する受信手段、
として機能させることを特徴とするプログラム。
【発明の詳細な説明】
【技術分野】
【０００１】
本発明は、情報送信装置、画像記憶装置、情報送信方法、及びプログラムに関する。
【背景技術】
【０００２】
従来より、予めグループ化された複数のカメラで互いに撮影・記録した画像を相互に送受信し、各カメラで互いに相手側のカメラで撮像された被写体像の画像ファイルを共有する技術が提案されている（例えば特許文献１参照）。
【先行技術文献】
【特許文献】
【０００３】
【特許文献１】特開２００７−１６６１４３号公報
【発明の概要】
【発明が解決しようとする課題】
【０００４】
しかしながら、上述した従来技術においては、ユーザの意図を汲むことなく全て共有されるので、所望する画像だけを取得して閲覧することが難しいという問題がある。
【０００５】
本発明は、複数の画像記録装置に記録された画像の中から所望する画像を容易に確認できるようにすることを目的とする。
【課題を解決するための手段】
【０００６】
この発明に係る情報送信装置は、外部の複数の画像記憶手段の一つを画像を受信する受信画像記憶手段とし、この受信画像記憶手段へ送信すべき画像について、その画像の種類を設定する設定手段と、前記設定手段によって設定された画像の種類を示す情報を、前記受信画像記憶手段以外の前記外部の複数の画像記憶手段の少なくとも一つに送信する送信手段と、前記送信手段による前記情報が送信され、前記外部の複数の画像記憶手段の少なくとも一つから前記受信画像記憶手段へ画像が送信された後の前記受信画像記憶手段の記憶内容に関する情報を受信する受信手段と、を備えることを特徴とする。
【０００７】
この発明に係る画像記憶装置は、画像を記憶する画像記憶手段と、外部に存在する画像記憶装置へ送信すべき画像について、その画像の種類を示す情報を外部の特定の送信装置から受信する受信手段と、この受信手段によって受信された前記画像の種類を示す情報に基づいて、前記画像記憶手段に記憶されている画像から送信すべき画像を特定して、前記外部に存在する画像記憶装置へ送信する送信手段と、を備えることを特徴とする。
【０００８】
この発明に係る情報送信方法は、外部の複数の画像記憶手段の一つを画像を受信する受信画像記憶手段とし、この受信画像記憶手段へ送信すべき画像について、その画像の種類を設定する設定ステップと、前記設定ステップにて設定された画像の種類を示す情報を、前記受信画像記憶手段以外の前記外部の複数の画像記憶手段の少なくとも一つに送信する送信ステップと、前記送信ステップで前記情報が送信され、前記外部の複数の画像記憶手段の少なくとも一つから前記受信画像記憶手段へ画像が送信された後の前記受信画像記憶手段の記憶内容に関する情報を受信する受信ステップと、を含むことを特徴とする。
【０００９】
この発明に係るプログラムは、情報送信装置のコンピュータを、当該情報送信装置外部の複数の画像記憶手段の一つを画像を受信する受信画像記憶手段とし、この受信画像記憶手段へ送信すべき画像について、その画像の種類を設定する設定手段、前記設定手段によって設定された画像の種類を示す情報を、前記受信画像記憶手段以外の前記外部の複数の画像記憶手段の少なくとも一つに送信する送信手段、前記送信手段による前記情報が送信され、前記外部の複数の画像記憶手段の少なくとも一つから前記受信画像記憶手段へ画像が送信された後の前記受信画像記憶手段の記憶内容に関する情報を受信する受信手段、として機能させることを特徴とする。
【発明の効果】
【００１０】
この発明によれば、複数の画像記録装置に記録された画像の中から所望する画像を容易に確認できる。
【図面の簡単な説明】
【００１１】
【図１】本発明の第１実施形態によるレシーバー１０と複数のデジタルカメラ３０−１〜３０−４とを用いた通信システムの構成を示すブロック図である。
【図２】本第１実施形態によるレシーバー１０とデジタルカメラ３０−１〜３０−４の構成を示すブロック図である。
【図３】本第１実施形態によるレシーバー１０から送信される画像受信コマンド４０、４１の構成を示す概念図である。
【図４】本第１実施形態によるレシーバー１０の動作を説明するためのフローチャートである。
【図５】本第１実施形態によるサブカメラ（デジタルカメラ３０−２〜３０−４）の動作を説明するためのフローチャートである。
【図６】本第１実施形態によるメインカメラ（デジタルカメラ３０−１）の動作を説明するためのフローチャートである。
【図７】本第２実施形態によるレシーバー１０から送信される画像受信コマンド５０、５１の構成を示す概念図である。
【図８】本第２実施形態によるレシーバー１０の動作を説明するためのフローチャートである。
【図９】本第３実施形態によるレシーバー１０が備える性能一覧テーブルの一例を示す概念図である。
【発明を実施するための形態】
【００１２】
以下、本発明の実施の形態を、図面を参照して説明する。
【００１３】
Ａ．第１実施形態の構成
図１は、本発明の第１実施形態によるレシーバー１０と複数のデジタルカメラ３０−１〜３０−４とを用いた通信システムの構成を示すブロック図である。図において、レシーバー１０は、例えば、スマートフォンや、タブレット端末、あるいは専用の端末などからなる。該レシーバー１０は、複数のデジタルカメラ３０−１〜３０−４との間で第１の無線通信（例えばＢｌｕｅｔｏｏｔｈ（登録商標））２０を行うためのデバイスやプログラムを備えている。
【００１４】
複数のデジタルカメラ３０−１〜３０−４は、基本機能として、撮像する機能、撮像した画像を保存する機能、及び、ライブビュー画像又は撮像した画像を他のデジタルカメラ又はレシーバーに送信する機能を備えている。これら基本機能を備えていれば、光学系の性能（レンズ口径、Ｆ値など）、撮像系の性能（解像度、センササイズなど）、記憶容量などの他の機能についてはそれぞれのデジタルカメラ固有であっても構わない。
【００１５】
複数のデジタルカメラ３０−１〜３０−４は、レシーバー１０との間で第１の無線通信２０を行うためのデバイスやプログラムに加え、デジタルカメラ同士で第２の無線通信（例えばＷｉＦｉ（登録商標））２１を行うためのデバイスやプログラムを備えている。
【００１６】
レシーバー１０は、専用のプログラム又はアプリケーションを実行することにより、第１の無線通信２０を用いて、デジタルカメラ３０−１〜３０−４との通信を確立する。レシーバー１０は、複数のデジタルカメラ３０−１〜３０−４のいずれか１つのデジタルカメラをメインカメラに設定し、それ以外のデジタルカメラをサブカメラに設定する。より具体的には、レシーバー１０は、メインカメラに対しては、そのデジタルカメラがメインカメラとして動作することを指示するための画像受信コマンド（後述）を送信し、サブカメラに対しては、サブカメラとして動作することを指示するための画像受信コマンド（後述）を送信する。
【００１７】
また、サブカメラに対して送信する画像受信コマンドには、送信すべき画像の種類（特定の条件という）が含まれている。ここで、画像の種類とは、撮影された画像に含まれる被写体の種類、具体的には、夜景、風景、ポートレートなどや、撮影されたときの撮影モード（夜景モード、風景モード、ポートレートモードなど）、撮影日時（取得日時）、撮影場所（取得位置情報）、撮影条件（シャッター速度、露出、オート撮影、マニュアル撮影など）を示すものであってもよい。
【００１８】
図１には、デジタルカメラ３０−１をメインカメラに設定し、デジタルカメラ３０−２〜３０−４をサブカメラに設定した例を示している。以下、デジタルカメラ３０−１をメインカメラ、デジタルカメラ３０−２〜３０−４をサブカメラとして説明する。
【００１９】
複数のデジタルカメラ３０−１〜３０−４のうち、レシーバー１０から第１の無線通信２０を介してサブカメラとして動作することを示す画像受信コマンドを受信したデジタルカメラ３０−２〜３０−４は、サブカメラとして動作する。デジタルカメラ３０−２〜３０−４は、第２の無線通信２１を介して、撮像して保存してある画像ファイルのうち、特定の条件に合致する画像ファイルを抽出してメインカメラであるデジタルカメラ３０−１に転送する。
【００２０】
一方、複数のデジタルカメラ３０−１〜３０−４のうち、レシーバー１０から第１の無線通信２０を介してメインカメラとして動作することを示す画像受信コマンドを受信したデジタルカメラ３０−１は、メインカメラとして動作する。デジタルカメラ３０−１は、他のデジタルカメラ、すなわちサブカメラであるデジタルカメラ３０−２〜３０−４から第２の無線通信２１を介して特定の条件に合致する画像ファイルを受信・格納し、またこの画像ファイルのファイルサイズをサムネイルサイズまで落として、第１の無線通信２０を介してレシーバー１０に転送する。
【００２１】
レシーバー１０は、メインカメラであるデジタルカメラ３０−１から受信した、デジタルカメラ３０−２〜３０−４で撮影され所定の条件に合致するサムネイルサイズの画像ファイル（以下、サムネイルデータという）を、閲覧可能に表示する。
【００２２】
図２（ａ）は、本第１実施形態によるレシーバー１０の構成を示すブロック図であり、図２（ｂ）は、本第１実施形態によるデジタルカメラ３０−１〜３０−４の構成を示すブロック図である。
【００２３】
図２（ａ）において、レシーバー１０は、第１の通信部（Ｂｌｕｅｔｏｏｔｈ（登録商標））１１、表示部１２、操作部（タッチパネル）１３、ＲＯＭ１４、ＲＡＭ１５、及び制御部１６を備えている。第１の通信部１１は、上記第１の無線通信２０に相当し、例えば、Ｂｌｕｅｔｏｏｔｈ（登録商標）を用いて、デジタルカメラ３０−１〜３０−４との間で各種コマンドやサムネイルデータ等、データ量が比較的少ないものを送受信する。
【００２４】
表示部１２は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面などを表示する。操作部（タッチパネル）１３は、指やスタイラス（ペン）などの直接接触、あるいは、近接を検出する。なお、操作部（タッチパネル）１３には、電源ボタンや音量ボタンなどの機械的なスイッチ類が含まれてもよい。ＲＯＭ１４は、後述する制御部１６により実行されるプログラムや動作等に必要とされる各種パラメータなどを記憶している。ＲＡＭ１５は、後述する制御部１６がプログラムを実行した際の一時的なデータや、各種アプリケーションプログラム、アプリケーションの実行に必要な各種パラメータ、メインカメラになるデジタルカメラ３０−１から受信した画像ファイルなどを記憶する。
【００２５】
制御部１６は、上述したＲＯＭ１４に記憶されているプログラムを実行することで各部の動作を制御する。特に、本第１実施形態では、制御部１６は、デジタルカメラ３０−１〜３０−４に対してメインカメラとサブカメラとを指定するとともに、サブカメラとなるデジタルカメラ３０−２〜３０−４に対して送信すべき画像ファイの種類を指定し、サブカメラとなるデジタルカメラ３０−２〜３０−４からメインカメラとなるデジタルカメラ３０−１に送信された画像ファイルのサムネイルデータを、メインカメラとなるデジタルカメラ３０−１から受信して表示部１２で閲覧表示するという一連の動作を制御する。
【００２６】
図２（ｂ）において、デジタルカメラ３０−１〜３０−４は、第１の通信部３１、第２の通信部３２、操作部３３、撮像部３４、ＲＯＭ３５、ＲＡＭ３６、記録媒体３７、及び制御部３８を備えている。第１の通信部３１は、上記第１の無線通信（例えば、Ｂｌｕｅｔｏｏｔｈ（登録商標））２１に相当し、レシーバー１０との間で各種コマンドや画像ファイルなどを送受信する。また、第２の通信部３２は、上記第２の無線通信（例えば、ＷｉＦｉ（登録商標）などの無線ＬＡＮ）２２に相当し、デジタルカメラ３０−１〜３０−４同士で画像ファイルなど、第１の通信部１１で送受信されるものよりもデータ量が多いものを送受信する。
【００２７】
操作部３３は、電源スイッチ、シャッタスイッチ、ズームスイッチ、モードキー、ＳＥＴキー、十字キー等の複数の操作キーを含み、ユーザのキー操作に応じた操作信号を出力する。撮像部３４は、光学レンズ群からなるレンズブロックと、ＣＣＤや、ＣＭＯＳなどの撮像素子からなり、レンズブロックから入った画像を撮像素子によりデジタル信号に変換して出力する。
【００２８】
ＲＯＭ３５は、後述する制御部３８により実行されるプログラムや動作等に必要とされる各種パラメータなどを記憶している。ＲＡＭ３６は、撮像部３４によって撮像された画像ファイルを一時記憶するバッファメモリとして使用されるとともに、制御部３８のワーキングメモリとして使用される。記録媒体３７は、撮像された画像ファイルなどを保存する。
【００２９】
制御部３８は、上述したＲＯＭ３５に記憶されているプログラムを実行することで各部の動作を制御する。なお、メインカメラとなるデジタルカメラ３０−１とサブカメラとなるデジタルカメラ３０−２〜３０−４とでは、制御部３８による制御動作が異なるので分けて説明する。サブカメラとなるデジタルカメラ３０−２〜３０−４において、制御部３８は、自身の記録媒体３７に保存されている画像ファイルの中から、レシーバー１０から指定される種類の画像ファイルを選択的に抽出し、メインカメラとなるデジタルカメラ３０−１に送信する。
【００３０】
一方、メインカメラとなるデジタルカメラ３０−１において、制御部３８は、サブカメラとなるデジタルカメラ３０−２〜３０−４から送信される画像ファイルを受信し、これをレシーバー１０に送信する。したがって、レシーバー１０は、メインカメラとなるデジタルカメラ３０−１だけから画像ファイルを受信すれば、複数のデジタルカメラ３０−１〜３０−４で撮影された画像ファイルの中から所望する画像ファイルを閲覧することが可能となる。
【００３１】
なお、本第１実施形態では、デジタルカメラ３０−１〜３０−４は、表示部を備えていないが、一般的なデジタルカメラのように液晶表示器や有機ＥＬ（Ｅｌｅｃｔｒｏ  Ｌｕｍｉｎｅｓｃｅｎｃｅ）表示器などからなる表示部を備えていてもよい。
【００３２】
図３（ａ）、（ｂ）は、本第１実施形態によるレシーバー１０から送信される画像受信コマンド４０、４１の構成を示す概念図である。図３（ａ）は、レシーバー１０が第１の無線通信２０を用いてメインカメラに設定したいデジタルカメラ３０−１に対して送信する画像受信コマンド４０である。当該画像受信コマンド４０は、ヘッダ４０ａと、メインカメラ設定コマンド４０ｂと、ＥＯＦ４０ｃとからなる。画像受信コマンド４０を受信したデジタルカメラ３０−１は、画像受信コマンド４０に挿入されているメインカメラ設定コマンド４０ｂを認識することで自身をメインカメラとして動作するよう設定する。
【００３３】
すなわち、メインカメラであるデジタルカメラ３０−１は、第２の無線通信２１を介して、サブカメラであるデジタルカメラ３０−２〜３０−４から送信される画像ファイルを受信するように待機状態になる。そして、メインカメラであるデジタルカメラ３０−１は、サブカメラであるデジタルカメラ３０−２〜３０−４から画像ファイルが送信されると、当該画像ファイルを第２の無線通信２１を介して受信し、その後、受信した画像ファイルの情報量を落としてサムネイルデータにし、第１の無線通信２０を介してレシーバー１０に転送する。
【００３４】
また、図３（ｂ）は、レシーバー１０が第１の無線通信２０を用いてサブカメラに設定したいデジタルカメラ３０−２〜３０−４に対して送信する画像受信コマンド４１である。当該画像受信コマンド４１は、ヘッダ４１ａと、サブカメラ設定コマンド４１ｂと、送信すべき画像ファイルの種類（ＥＸＩＦに記録された撮影モード情報）４１ｃと、ＥＯＦ４１ｄとからなる。
【００３５】
画像受信コマンド４１を受信したデジタルカメラ３０−２〜４は、画像受信コマンド４１に挿入されているサブカメラ設定コマンド４１ｂを認識することで自身をサブカメラとして動作するよう設定する。また、デジタルカメラ３０−２〜４は、記録媒体３７に保存されている画像ファイルの中から、画像受信コマンド４１に挿入されている、画像ファイルの種類４１ｃに合致する画像ファイルを選択的に抽出し、第２の無線通信２１を介してメインカメラであるデジタルカメラ３０−１に送信する。
【００３６】
次に、上述した第１実施形態の動作について説明する。
図４は、本第１実施形態によるレシーバー１０の動作を説明するためのフローチャートである。図５は、本第１実施形態によるサブカメラ（デジタルカメラ３０−２〜３０−４）の動作を説明するためのフローチャートである。また、図６は、本第１実施形態によるメインカメラ（デジタルカメラ３０−１）の動作を説明するためのフローチャートである。
【００３７】
まず、レシーバー１０の動作について図４を参照して説明する。レシーバー１０において、制御部１６は、表示部１２に画像ファイルの種類（撮影モード）の一覧から所望する画像ファイルの種類（撮影モード）を選択可能なメニュー画面を表示するなどして、ユーザによって閲覧したい画像ファイルの種類（撮影モード）４１ｃを指定させる（ステップＳ１０）。次に、制御部１６は、図３（ｂ）に示すような、指定された画像ファイルの種類（撮影モード）４１ｃを挿入したサブカメラに対する画像受信コマンド４１を設定する（ステップＳ１２）。
【００３８】
次に、制御部１６は、第１の通信部１１による第１の無線通信２０を用いて、デジタルカメラ３０−１〜３０−４と順次ネゴシエーションを行い、接続を確立する（ステップＳ１４）。次に、制御部１６は、第１の通信部（Ｂｌｕｅｔｏｏｔｈ（登録商標））１１を用いて、デジタルカメラ３０−１に対して、図３（ａ）に示す画像受信コマンド４０を送信する（ステップＳ１６）。次に、制御部１６は、デジタルカメラ３０−２〜３０−４に対して、図３（ｂ）に示す画像受信コマンド４１を順次送信する（ステップＳ１８）。
【００３９】
次に、制御部１６は、メインカメラに設定したデジタルカメラ３０−１からサムネイルデータを受信したか否かを判断する（ステップＳ２０）。そして、デジタルカメラ３０−１からサムネイルデータを受信していない場合には（ステップＳ２０のＮＯ）、当該処理を終了する。一方、メインカメラに設定したデジタルカメラ３０−１からサムネイルデータを受信した場合には（ステップＳ２０のＹＥＳ）、制御部１６は、受信したサムネイルデータをＲＡＭ１５に保存し（ステップＳ２２）、受信したサムネイルデータを表示し（ステップＳ２４）、当該処理を終了する。
【００４０】
なお、受信したサムネイルデータを表示する際には、デジタルカメラ３０−１〜３０−４のうち、どのデジタルカメラで撮影されたものかを表示するようにしてもよい。デジタルカメラ３０−１〜３０−４同士を接続している第２の無線通信（ＷｉＦｉ（登録商標））２１では、ＩＰアドレスや、ＭＡＣアドレスなどを用いて相手を識別しているので、このような情報によって、どのデジタルカメラから送信された画像ファイルかを識別することが可能である。
【００４１】
次に、サブカメラに設定されるデジタルカメラ３０−２〜３０−４の動作について図５を参照して説明する。デジタルカメラ３０−２〜３０−４において、制御部３８は、第１の通信部３１による第１の無線通信２０を用いて、レシーバー１０とネゴシエーションを行い、接続を確立する（ステップＳ３０）。次に、制御部３８は、レシーバー１０から何らかのコマンドを受信したか否かを判断する（ステップＳ３２）。そして、レシーバー１０からコマンドを受信していない場合には（ステップＳ３２のＮＯ）、コマンドを受信するまで待機状態となる。
【００４２】
一方、レシーバー１０から何らかのコマンドを受信した場合には（ステップＳ３２のＹＥＳ）、制御部３８は、受信したコマンドが画像受信コマンド４０、４１であるか否かを判断する（ステップＳ３４）。そして、受信したコマンドが画像受信コマンド４０、４１でない場合には（ステップＳ３４のＮＯ）、制御部３８は、対応するコマンドの処理を実行する（ステップＳ３６）。
【００４３】
一方、受信したコマンドが画像受信コマンド４０、４１であった場合には（ステップＳ３４のＹＥＳ）、制御部３８は、画像受信コマンド４０、４１を解析する（ステップＳ３８）。この場合、サブカメラに対する画像受信コマンド４１であるので、制御部３８は、自身をサブカメラに設定する（ステップＳ４０）。次に、制御部３８は、第１の通信部３１による第１の無線通信２０を切断し（ステップＳ４２）、第２の通信部３２による第２の無線通信２１を用いて、メインカメラであるデジタルカメラ３０−１との接続を確立する（ステップＳ４４）。
【００４４】
次に、制御部３８は、記録媒体３７に保存されている画像ファイルを検索し（ステップＳ４６）、画像受信コマンド４１に挿入されている、画像ファイルの種類４１ｃに合致するか否かを判断する（ステップＳ４８）。そして、画像ファイルの種類４１ｃに合致する画像ファイルである場合には（ステップＳ４８のＹＥＳ）、当該画像ファイルを、第２の通信部３２による第２の無線通信２１を介してメインカメラであるデジタルカメラ３０−１に送信する（ステップＳ５０）。一方、画像ファイルの種類４１ｃに合致する画像ファイルでない場合には（ステップＳ４８のＮＯ）、当該画像ファイルの送信をスキップする。
【００４５】
次に、制御部３８は、記録媒体３７に保存されている全ての画像ファイルを検索したか否かを判断し（ステップＳ５２）、終了していない場合には（ステップＳ５２のＮＯ）、ステップＳ４６に戻り、次の画像ファイルについて上述した処理を繰り返す。これにより、画像受信コマンド４１により指定された画像ファイルの種類４１ｃに合致する画像ファイルが選択的にメインカメラであるデジタルカメラ３０−１に送信される。
【００４６】
例えば、画像ファイルの種類４１ｃが「夜景（夜景モード）」であった場合には、サブカメラであるデジタルカメラ３０−２〜３０−４で撮影された「夜景（夜景モード）」を撮影した画像ファイルが全てメインカメラであるデジタルカメラ３０−１に送信されることになる。同様に、画像ファイルの種類４１ｃが「風景（風景モード）」であった場合には、サブカメラであるデジタルカメラ３０−２〜３０−４で撮影された「風景（夜景モード）」を撮影した画像ファイルが全てメインカメラであるデジタルカメラ３０−１に送信され、画像ファイルの種類４１ｃが「ポートレート（ポートレートモード）」であった場合には、サブカメラであるデジタルカメラ３０−２〜３０−４で撮影された「ポートレート（ポートレートモード）」を撮影した画像ファイルが全てメインカメラであるデジタルカメラ３０−１に送信されることになる。
【００４７】
そして、全ての画像ファイルについて処理が終了すると（ステップＳ５２のＹＥＳ）、第２の通信部３２による第２の無線通信２１を切断し（ステップＳ５４）、ステップＳ３０に戻り、上述した処理を繰り返す。
【００４８】
次に、メインカメラに設定されるデジタルカメラ３０−１の動作について図６を参照して説明する。デジタルカメラ３０−１において、制御部３８は、第１の通信部３１による第１の無線通信２０を用いて、レシーバー１０とネゴシエーションを行い、接続を確立する（ステップＳ６０）。次に、制御部３８は、レシーバー１０から何らかのコマンドを受信したか否かを判断する（ステップＳ６２）。そして、レシーバー１０からコマンドを受信していない場合には（ステップＳ６２のＮＯ）、コマンドを受信するまで待機状態となる。
【００４９】
一方、レシーバー１０から何らかのコマンドを受信した場合には（ステップＳ６２のＹＥＳ）、制御部３８は、受信したコマンドが画像受信コマンド４０、４１であるか否かを判断する（ステップＳ６４）。そして、受信したコマンドが画像受信コマンド４０、４１でない場合には（ステップＳ６４のＮＯ）、制御部３８は、対応するコマンドの処理を実行する（ステップＳ６６）。
【００５０】
一方、受信したコマンドが画像受信コマンド４０、４１であった場合には（ステップＳ６４のＹＥＳ）、制御部３８は、画像受信コマンド４０、４１を解析する（ステップＳ６８）。この場合、メインカメラに対する画像受信コマンド４０であるので、制御部３８は、自身をメインカメラに設定する（ステップＳ７０）。次に、制御部３８は、第１の通信部３１による第１の無線通信２０を切断し（ステップＳ７２）、第２の通信部３２による第２の無線通信２１を用いて、サブカメラであるデジタルカメラ３０−２〜３０−４との接続を確立する（ステップＳ７４）。
【００５１】
次に、制御部３８は、サブカメラであるデジタルカメラ３０−２〜３０−４のいずれかから画像ファイルを受信したか否かを判断する（ステップＳ７６）。そして、画像ファイルを受信していない場合には（ステップＳ７６のＮＯ）、制御部３８は、当該ステップＳ７６を繰り返すことにより画像ファイルを受信するまで待機する。一方、デジタルカメラ３０−２〜３０−４のいずれかから画像ファイルを受信した場合には（ステップＳ７６のＹＥＳ）、制御部３８は、受信した画像ファイルを記録媒体３７に保存する。この受信した画像ファイルは、画像ファイルの種類４１ｃに合致するものである。なお、受信した画像ファイルは、対応するデジタルカメラ３０−２〜３０−４毎にフォルダ別に振り分けて保存するようにしてもよい。
【００５２】
次に、制御部３８は、画像ファイルの受信が終了したか否か、すなわち全てのサブカメラから画像ファイルの転送終了等を示すコマンドを受信したか否かを判断する（ステップＳ８０）。そして、全てのサブカメラによる画像ファイルの転送が終了していない場合には（ステップＳ８０のＮＯ）、ステップＳ７６に戻り、画像ファイルの受信を継続する。
【００５３】
一方、全てのサブカメラから画像ファイルの転送終了等を示すコマンドを受信した場合には（ステップＳ８０のＹＥＳ）、第２の通信部３２による第２の無線通信２１を切断し（ステップＳ８２）、第１の通信部３１による第１の無線通信２０を用いて、レシーバー１０との接続を確立する（ステップＳ８４）。次に、制御部３８は、記録媒体３７に保存した、画像ファイルの種類４１ｃに合致する画像ファイルのサムネイルデータを取得し、第１の通信部３１による第１の無線通信２０を介して、レシーバー１０に送信する（ステップＳ８６）。
尚、このサムネイルデータの取得においては、画像ファイルにおける本画像データを所定のサイズにリサイズしたものを生成しても良いし、ＤＣＦ規格に基づいて生成され画像ファイルに格納されたサムネイルデータを用いても良い。
【００５４】
次に、制御部３８は、全てのサムネイルデータの送信が終了したか否かを判断し（ステップＳ８８）、終了していない場合には（ステップＳ８８のＮＯ）、ステップＳ８６に戻り、画像ファイルの送信を繰り返す。
【００５５】
例えば、画像ファイルの種類４１ｃが「夜景（夜景モード）」であった場合には、サブカメラであるデジタルカメラ３０−２〜３０−４で撮影された「夜景（夜景モード）」を撮影した画像ファイルのサムネイルデータが全てレシーバー１０に送信されることになる。同様に、画像ファイルの種類４１ｃが「風景（風景モード）」であった場合には、サブカメラであるデジタルカメラ３０−２〜３０−４で撮影された「風景（夜景モード）」を撮影した画像ファイルのサムネイルデータが全てレシーバー１０に送信され、画像ファイルの種類４１ｃが「ポートレート（ポートレートモード）」であった場合には、サブカメラであるデジタルカメラ３０−２〜３０−４で撮影された「ポートレート（ポートレートモード）」を撮影した画像ファイルのサムネイルデータが全てレシーバー１０に送信されることになる。
【００５６】
そして、全てのサムネイルデータの送信が終了すると（ステップＳ８８のＹＥＳ）、ステップＳ６０に戻り、上述した処理を繰り返す。
【００５７】
上述した第１実施形態によれば、デジタルカメラ３０−１〜３０−４に対して、メインカメラ又はサブカメラになることを指定するとともに、サブカメラに対しては、送信すべき画像の種類を指定し、指定した画像の種類に合致する画像をサブカメラからメインカメラに送信し、受信した指定した画像の種類に合致する画像のサムネイルデータをメインカメラからレシーバー１０に送信するようにしたので、複数の画像記録装置に記録された画像の中から所望する画像を容易に確認できる。
【００５８】
Ｂ．第２実施形態
次に、本発明の第２実施形態について説明する。
上述した第１実施形態では、サブカメラであるデジタルカメラ３０−２〜３０−４に対して共通の画像ファイルを指定すべく、画像受信コマンド４１に画像ファイルの種類４１ｃを挿入した。これに対して、本第２実施形態においては、サブカメラであるデジタルカメラ３０−２〜３０−４のそれぞれに対して個別に画像ファイルの種類を指定することを特徴としている。
【００５９】
例えば、カメラＩＤがＮｏ．１のデジタルカメラには、夜景（夜景モード）の画像ファイル、カメラＩＤがＮｏ．２のデジタルカメラには、風景（風景モード）の画像ファイル、カメラＩＤがＮｏ．３のデジタルカメラには、マクロ（マクロモード）の画像ファイルというように異なる種類の画像ファイルを指定することが可能となっている。
【００６０】
そのため、レシーバー１０からデジタルカメラ３０−１〜３０−４に送信する画像受信コマンドにデジタルカメラを識別するカメラＩＤを含めることにより、画像受信コマンドがどのデジタルカメラに対するコマンドであるかを識別可能としている。
【００６１】
なお、通信システムの構成、レシーバー１０の構成、デジタルカメラ３０−１〜３０−４の構成については、上述した第１実施形態と同様であるので説明を省略する。
【００６２】
図７（ａ）、（ｂ）は、本第２実施形態によるレシーバー１０から送信される画像受信コマンド５０、５１の構成を示す概念図である。図７（ａ）は、レシーバー１０が第１の無線通信２０を用いてメインカメラに設定したいデジタルカメラ３０−１に対して送信する画像受信コマンド５０である。当該画像受信コマンド５０は、ヘッダ５０ａと、カメラＩＤ５０ｂと、メインカメラ設定コマンド５０ｃと、ＥＯＦ５０ｄとからなる。
【００６３】
画像受信コマンド５０を受信したデジタルカメラは、カメラＩＤを認識することで、自身に対する画像受信コマンド５０であるのか否かを判断することができる。そして、カメラＩＤから自身に対する画像受信コマンド５０であると判断したデジタルカメラ、この場合、デジタルカメラ３０−１は、画像受信コマンド５０に挿入されているメインカメラ設定コマンド５０ｃを認識することで自身をメインカメラとして動作するよう設定する。
【００６４】
また、図７（ｂ）は、レシーバー１０が第１の無線通信２０を用いてサブカメラに設定したいデジタルカメラ３０−２〜３０−４に対して送信する画像受信コマンド５１である。当該画像受信コマンド５１は、ヘッダ５１ａと、カメラＩＤ５１ｂ、サブカメラ設定コマンド５１ｃと、送信すべき画像ファイルの種類（ＥＸＩＦに記録された撮影モード情報）５１ｄと、ＥＯＦ５１ｅとからなる。
【００６５】
画像受信コマンド５１を受信したデジタルカメラは、画像受信コマンド５１に挿入されているカメラＩＤを認識することで、自身に対する画像受信コマンド５１であるのか否かを判断することができる。そして、カメラＩＤから自身に対する画像受信コマンド５１であると判断したデジタルカメラ、この場合、デジタルカメラ３０−２〜３０−４は、各々、画像受信コマンド５１に挿入されているサブカメラ設定コマンド５１ｃを認識することで自身をサブカメラとして動作するよう設定する。また、デジタルカメラ３０−２〜３０−４は、各々、記録媒体３７に保存されている画像ファイルの中から、それぞれの画像受信コマンド５１に挿入されている、画像ファイルの種類５１ｄに合致する画像ファイルを選択的に抽出し、第２の無線通信２１を介してメインカメラであるデジタルカメラ３０−１に送信する。
【００６６】
次に、上述した第２実施形態の動作について説明する。
図８は、本第２実施形態によるレシーバー１０の動作を説明するためのフローチャートである。まず、レシーバー１０の動作について図８を参照して説明する。レシーバー１０において、制御部１６は、表示部１２に画像ファイルの種類（撮影モード）の一覧から所望する画像ファイルの種類（撮影モード）を選択可能なメニュー画面を表示するなどして、ユーザによって閲覧したい画像ファイルの種類（撮影モード）４１ｃをサブカメラ毎に指定させる（ステップＳ９０）。次に、制御部１６は、図７（ｂ）に示すような、カメラＩＤ５１ｂ、指定された画像ファイルの種類（撮影モード）５１ｄを挿入した、カメラＩＤ５１ｂのサブカメラに対する画像受信コマンド５１を設定する（ステップＳ９２）。
【００６７】
次に、制御部１６は、第１の通信部１１による第１の無線通信２０を用いて、デジタルカメラ３０−１〜３０−４とネゴシエーションを行い、接続を確立する（ステップＳ９４）。次に、制御部１６は、第１の通信部１１による第１の無線通信２０を用いて、デジタルカメラ３０−１に対して、図７（ａ）に示す画像受信コマンド５０を送信する（ステップＳ９６）。次に、制御部１６は、デジタルカメラ３０−２〜３０−４の各々に対して、図７（ｂ）に示すように、カメラＩＤ５１ｂ、画像ファイルの種類（撮影モード）５１ｄを挿入した画像受信コマンド５１を順次送信する（ステップＳ９８）。
【００６８】
次に、制御部１６は、メインカメラに設定したデジタルカメラ３０−１からサムネイルデータを受信したか否かを判断する（ステップＳ１００）。そして、デジタルカメラ３０−１からサムネイルデータを受信していない場合には（ステップＳ１００のＮＯ）、当該処理を終了する。一方、メインカメラに設定したデジタルカメラ３０−１からサムネイルデータを受信した場合には（ステップＳ１００のＹＥＳ）、制御部１６は、受信したサムネイルデータをＲＡＭ１５に保存し（ステップＳ１０２）、受信したサムネイルデータを表示し（ステップＳ１０４）、当該処理を終了する。
【００６９】
なお、サブカメラに設定されるデジタルカメラ３０−２〜３０−４の動作、メインカメラに設定されるデジタルカメラ３０−１の動作については、前述した第１実施形態と同様であるので説明を省略する。第１実施形態と異なるのは、サブカメラにおいては、それぞれのデジタルカメラ３０−２〜３０−４で、それぞれに対して個別に指定された画像ファイルの種類５１ｄに従って、抽出選択した画像ファイルをメインカメラであるデジタルカメラ３０−１に送信することにある。
【００７０】
この結果、メインカメラであるデジタルカメラ３０−１には、例えば、デジタルカメラ３０−２からは、夜景（夜景モード）の画像ファイルが送信され、デジタルカメラ３０−３からは、風景（風景モード）の画像ファイルが送信され、デジタルカメラ３０−４からは、マクロ（マクロモード）の画像ファイルが送信されるというように、それぞれのデジタルカメラ３０−２〜３０−４から所望する画像ファイルを送信させることが可能となる。
【００７１】
上述した第２実施形態によれば、送信すべき画像の種類をサブカメラに設定されたデジタルカメラ３０−２〜３０−４毎に異なるように指定したので、それぞれのデジタルカメラ３０−２〜３０−４に格納された画像の中から所望する画像を容易に確認することができる。
【００７２】
Ｃ．第３実施形態
次に、本発明の第３実施形態について説明する。
上述した第１、第２実施形態では、ユーザがメインカメラを指定するようにした。これに対して、本第３実施形態では、デジタルカメラ３０−１〜３０−４の処理能力（メモリ残容量、表示解像度、ＷｉＦｉにおける外部との接続状態）をテーブル化しておき（以下、処理能力一覧テーブルと称する）、該処理能力一覧テーブルを参照することで所定の性能条件を満たすデジタルカメラをメインカメラとして選択するようにしてもよい。
【００７３】
図９は、本第３実施形態によるレシーバー１０が備える処理能力一覧テーブルの一例を示す概念図である。レシーバー１０は、ＲＡＭ１５に図９に示す処理能力一覧テーブル６０を保存している。図９に示すように、処理能力一覧テーブル６０は、デジタルカメラを識別するためのＩＤ  Ｎｏ．６０ａ、メモリ残容量６０ｂ、表示解像度６０ｃ、及びＷｉＦｉにおける外部との接続状態６０ｄからなる。
【００７４】
図示の例では、ＩＤ  Ｎｏ．が「０」のデジタルカメラは、メモリ残容量が「１０ＧＢ」、表示解像度が「高」、ＷｉＦｉにおける外部との接続状態が「良」となっており、同様に、ＩＤ  Ｎｏ．が「１」のデジタルカメラは、メモリ残容量が「１６ＧＢ」、表示解像度が「高」、ＷｉＦｉにおける外部との接続状態が「並」、ＩＤ  Ｎｏ．が「２」のデジタルカメラは、メモリ残容量が「８ＧＢ」、表示解像度が「中」、ＷｉＦｉにおける外部との接続状態「良」、そして、ＩＤ  Ｎｏ．が「３」のデジタルカメラは、メモリ残容量が「４ＧＢ」、表示解像度が「低」、ＷｉＦｉにおける外部との接続状態が「低」、…となっている。
【００７５】
レシーバー１０は、上記処理能力一覧テーブル６０を参照して所定の処理能力に合致するデジタルカメラをメインカメラに設定する。所定の処理能力としては、例えば、表示解像度が最も高い、メモリ残容量が最も大きい、あるいは通信環境が最も優れている、などとする。但し、どれを優先するかはユーザ操作によって設定可能としてもよい。ベストモードとしては、メモリ残容量（多）＞表示解像度（高）＞接続状況（良）とするのが望ましい。
【００７６】
上述した第３実施形態によれば、デジタルカメラ３０−１〜３０−４の処理能力をテーブル化しておき、レシーバー１０でメインカメラを指定する際に、デジタルカメラ３０−１〜３０−４の処理能力に応じて自動的に決定するようにしたので、サブカメラであるデジタルカメラ３０−２〜３０−４から送信される画像ファイルを十分な処理能力で受信することができる。
【００７７】
また、上述した第１乃至第３実施形態によれば、送信すべき画像の種類を、画像に含まれる被写体の種類で指定するようにしたので、複数のカメラに格納された画像の中から所望する被写体を含む画像を容易に確認することができる。
【００７８】
また、上述した第１乃至第３実施形態によれば、送信すべき画像の種類を、撮影モードの種類で指定するようにしたので、複数のカメラに格納された画像の中から所望する撮影モードで撮影されて格納された画像を容易に確認することができる。
【００７９】
また、上述した第１乃至第３実施形態によれば、送信すべき画像の種類を、画像に記憶された取得日時で指定するようにしたので、複数のカメラに格納された画像の中から所望する取得日時に撮像され格納された画像を容易に確認することができる。
【００８０】
また、上述した第１乃至第３実施形態によれば、送信すべき画像の種類を、画像に記憶された取得位置情報で指定するようにしたので、複数のカメラに格納された画像の中から所望する取得位置情報が付加された画像を容易に確認することができる。
【００８１】
なお、上述した第１乃至第３実施形態においては、レシーバー１０とデジタルカメラ３０−１〜３０−４との通信として、Ｂｌｕｅｔｏｏｔｈ（登録商標）を用い、デジタルカメラ３０−１〜３０−４同士の通信として、ＷｉＦｉなどの無線ＬＡＮを用いたが、互いの通信方式において、転送速度や送信容量にて差別化できるものであれば、これら以外の通信手段であってもよい。
【００８２】
また、上述した第１乃至第３実施形態においては、サブカメラとなるデジタルカメラ３０−２〜３０−４に対してのみ、送信すべき画像ファイルの種類を指定したが、メインカメラとなるデジタルカメラ３０−１に対してもサブカメラと同様に送信すべき画像ファイルの種類を指定するようにしてもよい。
【００８３】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００８４】
（付記１）
付記１に記載の発明は、複数の画像記憶手段の一つを画像の送信先に設定する設定手段と、この設定手段によって設定された画像の送信先を示す情報を、前記設定手段により画像の送信先に設定された画像記憶手段以外の複数の画像記憶手段の少なくとも１つに送信する送信手段と、を備えることを特徴とする情報送信装置である。
【００８５】
（付記２）
付記２に記載の発明は、前記設定手段は更に、前記画像の送信先に加え送信すべき画像の種類を設定することを特徴とする付記１に記載の情報送信装置である。
【００８６】
（付記３）
付記３に記載の発明は、前記送信すべき画像の種類とは、画像に含まれる被写体の種類によって決定される、ことを特徴とする付記２に記載の情報送信装置である。
【００８７】
（付記４）
付記４に記載の発明は、前記外部の複数の画像記憶手段は、撮像装置を含み、前記送信すべき画像の種類とは、撮影モードの種類によって決定される、ことを特徴とする付記２に記載の情報送信装置である。
【００８８】
（付記５）
付記５に記載の発明は、前記送信すべき画像の種類とは、画像に記憶された取得日時によって決定される、ことを特徴とする付記２に記載の情報送信装置である。
【００８９】
（付記６）
付記６に記載の発明は、前記送信すべき画像の種類とは、画像に記憶された取得位置情報によって決定される、ことを特徴とする付記２に記載の情報送信装置である。
【００９０】
（付記７）
付記７に記載の発明は、前記送信手段は、前記送信すべき画像の種類を、前記複数の画像記憶手段毎に変えて送信する、ことを特徴とする付記２乃至５のいずれか一つに記載の情報送信装置である。
【００９１】
（付記８）
付記８に記載の発明は、前記外部の複数の画像記憶手段毎にそれぞれの処理能力の一覧を記憶する処理能力記憶手段と、前記処理能力記憶手段に記憶されている前記複数の画像記憶手段毎の処理能力に基づいて、前記画像の送信先を決定する決定手段と、を更に備えることを特徴とする付記１乃至７のいずれか一つに記載の情報送信装置である。
【００９２】
（付記９）
付記９に記載の発明は、前記設定手段によって画像の送信先として設定され、他の複数の画像記憶手段から送信された後の、前記画像記憶手段の記憶内容を受信する受信手段を更に備えた事を特徴とする付記１乃至８のいずれか一つに記載の情報送信装置である。
【００９３】
（付記１０）
付記１０に記載の発明は、画像を記憶する第１の画像記憶手段と、複数の画像記憶手段の一つを画像の送信先として設定する情報を、外部の特定の送信装置から受信する受信手段と、この受信手段によって受信した情報に基づいて、前記第１の画像記憶手段に記憶されている画像から送信すべき画像を特定して、前記画像の送信先に送信する送信手段と、を備えることを特徴とする画像記憶装置である。
【００９４】
（付記１１）
付記１１に記載の発明は、撮像手段を更に備えるとともに、前記送信すべき情報には、送信すべき画像の種類が含まれることを特徴とする付記１０記載の画像記憶装置である。
【００９５】
（付記１２）
付記１２に記載の発明は、前記画像の種類とは、前記撮像手段を利用した撮像における撮影モードまたは撮影条件である、ことを特徴とする付記１１に記載の画像記憶装置である。
【００９６】
（付記１３）
付記１３に記載の発明は、複数の画像記憶手段の一つを画像の送信先に設定する設定ステップと、この設定ステップにて設定された画像の送信先を示す情報を、画像の送信先に設定された画像記憶手段以外の複数の画像記憶手段の少なくとも１つに送信する送信ステップと、を含むことを特徴とする情報送信方法である。
【００９７】
（付記１４）
付記１４に記載の発明は、情報送信装置のコンピュータを、複数の画像記憶手段の一つを画像の送信先に設定する設定手段、この設定手段によって設定された画像の送信先を示す情報を、前記設定手段により画像の送信先に設定された画像記憶手段以外の複数の画像記憶手段の少なくとも１つに送信する送信手段、として機能させることを特徴とするプログラムである。
【符号の説明】
【００９８】
１０  レシーバー
１１  通信部
１２  表示部
１３  操作部（タッチパネル）
１４  ＲＯＭ
１５  ＲＡＭ
１６  制御部
２０  第１の無線通信
２１  第２の無線通信
３０−１〜３０−４  デジタルカメラ
３１  第１の通信部
３２  第２の通信部
３３  操作部
３４  撮像部
３５  ＲＯＭ
３６  ＲＡＭ
３７  記録媒体
３８  制御部
４０、４１、５０、５１  画像受信コマンド
６０  処理能力一覧テーブル
【図１】
0006561689.tif 000002
【図２】
0006561689.tif 000003
【図３】
0006561689.tif 000004
【図４】
0006561689.tif 000005
【図５】
0006561689.tif 000006
【図６】
0006561689.tif 000007
【図７】
0006561689.tif 000008
【図８】
0006561689.tif 000009
【図９】
0006561689.tif 000010